(57)【特許請求の範囲】
【請求項１】
綿毛状に凝集したスラリーの流れをトラッキング・スクリーンまで送出するための拡散体において、その綿毛状に凝集したスラリーの流れのための入口を有する基部から、上部分であってその部分で前記の綿毛状に凝集したスラリーの流れが前記トラッキング・スクリーンに送出される該上部分まで立ち上がっている、垂直に配置された導管であって、前記基部から前記上部分まで一定であるか又は増大している水平断面積と、前記基部から前記上部分まで増大しているアスペクト比とを有する該導管を備えており、
基部が１：１〜４：１という低いアスペクト比の水平断面を有し；上部分が４０：１〜１００：１という高いアスペクト比の水平断面を有し；且つ、［前記上部分における水平断面積］対［前記基部における水平断面積］の比が１：１〜３：１である、上記拡散体。
【請求項２】
扇形であり；正面図において、狭い基部から、三角形の中間部を経由して、広い上部分まで立ち上がっており；且つ、側面図において、基部から、一層狭い上部分まで次第に細くなっている；請求項１に記載の拡散体。
【請求項３】
基部及び上部分が、正面図と側面図の両方において矩形である、請求項２に記載の拡散体。
【請求項４】
綿毛状に凝集したスラリーの流れのための入口が、導管と直角になるように据え付けられている、請求項１に記載の拡散体。
【請求項５】
拡散体の上部分の前方及び後方のリムに平行に且つ該リムの下方に配置され、水平面から３０〜６０°の角度で下方に伸びているフランジを更に備えている、請求項１に記載の拡散体。
【請求項６】
スラリーの流れを脱水する方法において、
（ａ）１つ以上のパラメータを連続的に決定する工程；
（ｂ）その決定した１つ以上のパラメータに呼応してスラリーの流れに凝集剤を添加する工程；
（ｃ）綿毛状に凝集したスラリーの流れを与えるために、前記凝集剤を前記スラリーと混合する工程；
（ｄ）前記の綿毛状に凝集したスラリーを、拡散体を通してトラッキング・スクリーンの上に送出する工程；及び
（ｅ）固形物と濾液とを与えるために、前記トラッキング・スクリーンを通して前記の綿毛状に凝集したスラリーを濾過する工程；
を包含する上記脱水方法であって、
前記パラメータが、前記スラリーの流量；該スラリーのパルプ濃度；及び前記濾液のパルプ濃度であり、
拡散体が、その綿毛状に凝集したスラリーの流れのための入口を有する基部から、上部分であってその部分で前記の綿毛状に凝集したスラリーの流れが前記トラッキング・スクリーンに送出される該上部分まで立ち上がっている、垂直に配置された導管であって、前記基部から前記上部分まで一定であるか又は増大している水平断面積と、前記基部から前記上部分まで増大しているアスペクト比とを有する該導管を備えており、
拡散体の基部が１：１〜４：１という低いアスペクト比の水平断面を有し；拡散体の上部分が４０：１〜１００：１という高いアスペクト比の水平断面を有し；且つ、［前記上部分における水平断面積］対［前記基部における水平断面積］の比が１：１〜３：１である、上記脱水方法。
【請求項７】
拡散体が、扇形であり；正面図において、狭い基部から、三角形の中間部を経由して、広い上部分まで立ち上がっており；且つ、側面図において、基部から、一層狭い上部分まで次第に細くなっている；請求項６に記載の方法。
【請求項８】
拡散体の基部及び上部分が、正面図と側面図の両方において矩形である、請求項７に記載の方法。
【請求項９】
綿毛状に凝集したスラリーの流れのための入口が、導管と直角になるように据え付けられている、請求項６に記載の方法。
【請求項１０】
拡散体が、その上部分の前方及び後方のリムに平行に且つ該リムの下方に配置され、水平面から３０〜６０°の角度で下方に伸びているフランジを更に備えている、請求項６に記載の方法。
【請求項１１】
工程（ａ）で決定したパラメータが、スラリーの流量及び／又は該スラリーのパルプ濃度である、請求項６に記載の方法。
【請求項１２】
工程（ａ）で決定したパラメータが、スラリーの流量及び該スラリーのパルプ濃度である、請求項１１に記載の方法。
【請求項１３】
スラリーの流量は、ドップラー流量計を用いて決定する、請求項６に記載の方法。
【請求項１４】
スラリーのパルプ濃度は、コリオリ管を用いて決定する、請求項６に記載の方法。
【請求項１５】
凝集剤の添加は、容量型ポンプを用いて達成する、請求項６に記載の方法。
【請求項１６】
工程（ｃ）の混合工程は、決定した１つ以上のパラメータに呼応して制御する、請求項６に記載の方法。
【請求項１７】
工程（ｃ）の混合工程は、ダイナミックミキサーを用いて達成する、請求項６に記載の方法。
【請求項１８】
凝集剤が、アニオンポリマー、カチオンポリマー、又は非イオンポリマーを含有する、請求項６に記載の方法。
【請求項１９】
凝集剤が、１種のポリアクリルアミド；又は複数種のポリアクリルアミドの混合物；を含有する、請求項１８に記載の方法。
【請求項２０】
トラッキング・スクリーンが、Ａ形フレーム上に据え付けた２つのスクリーンを備えている請求項６に記載の方法。
【請求項２１】
トラッキング・スクリーンは、各々のスクリーンの全長を通して単一角度で据え付ける、請求項２０に記載の方法。
【請求項２２】
トラッキング・スクリーンは、Ａ形フレームの各々の側に単一スクリーン部分を有する、請求項２１に記載の方法。
【請求項２３】
単一角度が、水平面から３０〜６０°である、請求項２１に記載の方法。
【請求項２４】
トラッキング・スクリーンは、０．５〜０．９ｍｍの複数の目を有する、請求項６に記載の方法。
【請求項２５】
２つのスクリーンは、Ａ形フレームの先端で蝶番を用いて据え付ける、請求項２０に記載の方法。
【請求項２６】
２つのスクリーンに電気機械的アクチュエータを備えて、スクリーン角度を調整する、請求項２５に記載の方法。
【請求項２７】
濾過工程の効率を高めるために、トラッキング・スクリーンに振動機を備える、請求項６に記載の方法。
【請求項２８】
（ｆ）濾液を更に浄化する工程を更に包含する、請求項６に記載の方法。
【請求項２９】
（ｇ）固形物を更に脱水する工程を更に包含する、請求項２８に記載の方法。
【請求項３０】
更に脱水する工程は、ベルトプレスを用いて達成する、請求項２９に記載の方法。
【請求項３１】
凝集剤の添加工程は、１つ以上のパラメータを決定する手段と通信し且つ凝集剤を添加する手段と通信するプログラマブルロジック調節器によって制御する、請求項６に記載の方法。
【請求項３２】
混合工程もまた、ミキサーとも通信するプログラマブルロジック調節器によって制御する、請求項３１に記載の方法。
【請求項３３】
スラリーの流れを脱水する装置において、
（ｉ）  １つ以上のパラメータを連続的に決定する手段；
（ｉｉ）  前記スラリーに凝集剤を添加する手段；
（ｉｉｉ）  前記の添加する手段によって前記凝集剤の添加速度を制御するために、前記の決定された１つ以上のパラメータに呼応する手段；
（ｉｖ）  前記凝集剤を前記スラリーと混合して、綿毛状に凝集したスラリーの流れを生成するミキサー；
（ｖ）  前記の綿毛状に凝集したスラリーを濾過して、固形物と濾液とを与えるトラッキング・スクリーン；及び
（ｖｉ）  前記の綿毛状に凝集したスラリーを前記トラッキング・スクリーン上に送出するための拡散体；
を備えた上記脱水装置であって、
前記パラメータが、前記スラリーの流量；該スラリーのパルプ濃度；及び前記濾液のパルプ濃度であり、
拡散体が、その綿毛状に凝集したスラリーの流れのための入口を有する基部から、上部分であってその部分で前記の綿毛状に凝集したスラリーの流れが前記トラッキング・スクリーンに送出される該上部分まで立ち上がっている、垂直に配置された導管であって、前記基部から前記上部分まで一定であるか又は増大している水平断面積と、前記基部から前記上部分まで増大しているアスペクト比とを有する該導管を備えており、
拡散体の基部が１：１〜４：１という低いアスペクト比の水平断面を有し；拡散体の上部分が４０：１〜１００：１という高いアスペクト比の水平断面を有し；且つ、［前記上部分における水平断面積］対［前記基部における水平断面積］の比が１：１〜３：１である、上記脱水装置。
【請求項３４】
拡散体が、扇形であり；正面図において、狭い基部から、三角形の中間部を経由して、広い上部分まで立ち上がっており；且つ、側面図において、基部から、一層狭い上部分まで次第に細くなっている；請求項３３に記載の装置。
【請求項３５】
拡散体の基部及び上部分が、正面図と側面図の両方において矩形である、請求項３４に記載の装置。
【請求項３６】
綿毛状に凝集したスラリーの流れのための入口が、導管と直角になるように据え付けられている、請求項３３に記載の装置。
【請求項３７】
拡散体が、その上部分の前方及び後方のリムに平行に且つ該リムの下方に配置され、水平面から３０〜６０°の角度で下方に伸びているフランジを更に備えている、請求項３３に記載の装置。
【請求項３８】
スラリーの流量及び該スラリーのパルプ濃度を決定するための手段を備えている、請求項３３に記載の装置。
【請求項３９】
スラリーの流量を決定する手段が、ドップラー流量計である、請求項３３に記載の装置。
【請求項４０】
スラリーのパルプ濃度を決定する手段が、コリオリ管を備えている、請求項３３に記載の装置。
【請求項４１】
凝集剤を添加する手段が、容量型ポンプを備えている、請求項３３に記載の装置。
【請求項４２】
凝集剤の添加速度を制御する手段が、１つ以上のパラメータを決定する手段と通信し且つ凝集剤を添加する手段と通信するプログラマブルロジック調節器を備えている、請求項３３に記載の装置。
【請求項４３】
ミキサーが、凝集剤の添加速度を制御する手段と通信する状態にある、請求項３３に記載の装置。
【請求項４４】
ミキサーがダイナミックミキサーである、請求項３３に記載の装置。
【請求項４５】
トラッキング・スクリーンが、Ａ形フレーム上に据え付けた２つのスクリーンを備えている請求項３３に記載の装置。
【請求項４６】
トラッキング・スクリーンは、各々のスクリーンの全長を通して単一角度で据え付ける、請求項４５に記載の装置。
【請求項４７】
トラッキング・スクリーンは、Ａ形フレームの各々の側に単一スクリーン部分を有する、請求項４６に記載の装置。
【請求項４８】
単一角度が、水平面から３０〜６０°である、請求項４７に記載の装置。
【請求項４９】
トラッキング・スクリーンは、０．５〜０．９ｍｍの複数の目を有する、請求項３３に記載の装置。
【請求項５０】
２つのスクリーンは、Ａ形フレームの先端で蝶番を用いて据え付ける、請求項３３に記載の装置。
【請求項５１】
２つのスクリーンに電気機械的アクチュエータを備えて、スクリーン角度を調整する、請求項５０に記載の装置。
【請求項５２】
濾過工程の効率を高めるために、トラッキング・スクリーンに振動機を備える、請求項３３に記載の装置。
【請求項５３】
トラッキング・スクリーンから濾過ケーキを回収するためのガターを更に備えている、請求項３３に記載の装置。
【請求項５４】
拡散体及びトラッキング・スクリーンを備えた組立て体を運搬手段によって移動させて、該トラッキング・スクリーンから固形物を重力によって取り除くことができるように、調節可能な状態で該運搬手段上に据え付けられている支持体の上に、該組立て体が据え付けられている、請求項３３に記載の装置。
【請求項５５】
組立て体を移動させる手段が、１つ以上の電気機械的アクチュエータ又はジャッキを備えている、請求項５４に記載の装置。
【請求項５６】
運搬手段が平底荷船又はトレーラである、請求項５４に記載の装置。
【請求項５７】
ガターが、向かい合っている端を有する、一定間隔をあけて置かれた一対の細長い側壁、及びそれらの間に広がっている底壁；並びに
それら側壁の少なくとも一方から内側に向かって伸びている複数のプレートであって、前記濾過ケーキが前記スクリーンから前記底壁に落下する勢いを弱めるためのラダーを形成する複数の高台を確立している該プレート；
を備えている、請求項５３に記載の装置。
【請求項５８】
ガターが、装置内部の濾過ケーキの安息角を調節することができるように、旋回心軸上で分離スクリーンと連結されている、請求項５３に記載の装置。
【請求項５９】
底壁が、濾過ケーキを装置の中から外に流出させることができる開口に向かって下の方へ傾斜しており；一対の側壁が、前記開口に向かって下の方へ伸びており；しかも、前記一対の側壁と協同して前記底壁が下向きに傾斜しているために、前記装置は、前記開口から一方の向かい合っている端までの深さよりも、前記開口の近辺での深さが一層深くなっている；請求項５７又は５８に記載の装置。
【請求項６０】
諸プレートが、少なくとも一方の側壁に沿って、且つ装置の深さに従って垂直方向に、均一に分配されている、請求項５７に記載の装置。
【請求項６１】
諸プレートが一対の側壁の間に伸びている、請求項５７に記載の装置。
【請求項６２】
諸プレートが湾曲している、請求項５７に記載の装置。
【請求項６３】
一対の側壁の一方が、跳ね返り防止板を備えている、請求項５７に記載の装置。
【発明の詳細な説明】
【０００１】
本発明は、スラリー［とりわけ、「浚渫土砂（ｄｒｅｄｇｅ  ｓｐｏｉｌｓ）」から生じるスラリー］を脱水する技術の改善に関する。
【０００２】
浚渫土砂の処理は、浚渫請負人にとって重大な問題を与える。浚渫されたスラッジは、スラリーの形態で水に浮遊している。そのようなスラリーは、ホールディング・ラグーン（ｈｏｌｄｉｎｇ  ｌａｇｏｏｎｓ；溜め池）又は沈澱池の中に直接排出されるとき、重大な回収の問題を引き起こすことがある。従って、効果的に脱水して、これらスラリーからの固形物を再生利用する必要がある。本発明によって、水と固形物を分離するための迅速で効率的な手段が与えられ、それによって、容量が経済的に減少し、それによって、堆積物を回収して再利用するか又は投棄処分するための魅力的な選択が行われる。
【０００３】
ポンプ浚渫機は、自然排水溝又は人工排水溝から種々の堆積物を取り除くための有効な掘削装置である。この浚渫機によって、無害堆積物の他に、汚染堆積物又は有害堆積物として分類される堆積物が取り除かれる場合がある。これら堆積物には、土石（例えば、砂、砂利、粘土、シルト質土、有機物質、又はそれらの組合せ）が包含されることがある。粘土、シルト質土及び有機物質を包含する、固形物の最も微細な画分は典型的には、最も大きい容積を与え、また、この画分は、回収するのが最も困難でもある。ポンプ浚渫プロセスで排水溝から浚渫される物質は全て、廃棄場所へ移動しなければならない。伝統的にこれら廃棄場所には、最も微細な粒状物質の遅い沈降特性に対応するよう特別に設計された沈砂池が包含される。これら「スラッジ溜め（ｓｌｕｄｇｅ  ｌａｇｏｏｎｓ）」は、様々な点で近隣地域に負担をかける。これらスラッジ溜めは、土地のかなりの面積を占め、水和した沈澱物が完全に固まる遅いプロセスの間に放出される有害な臭気のために、近くにあると通常不快である。
【０００４】
そのような伝統的沈砂池に関連する諸問題を解消しようとする試みにおいて、浚渫スラリーを脱水する機構（ｓｙｓｔｅｍｓ；システム）が導入された。これらの脱水機構は、浚渫固形物と水を分離するのに使用されるため、浚渫固形物は再利用されるか又は投棄処分される場合がある。それら機構は典型的には、スクリーニング（ｓｃｒｅｅｎｉｎｇ；篩い分け）組立て体、ハイドロサイクロン、遠心分離機、ベルトプレス、及び浄化用容器を備えている。これら機構の大部分は、一定間隔をあけた間隔で限られた量の浚渫土砂しか受け入れることのできない「バッチ処理」プロセスとして作動する。先ず、この浚渫土砂が、保持容器の中にポンプで汲み上げられる。次いで、浚渫機が使用されていない間、スラリーが徐々にポンプで汲み上げられ、次いで、各々の装置で順次処理される。次いで、保持容器は再び満たされる。従って、脱水機構の個々の装置要素の処理速度によって、浚渫作業のスループット量（ｔｈｒｏｕｇｈｐｕｔ  ｒａｔｅ；処理量）が制限される。そのようなバッチ機構に関連する効率が悪いために、作業コストは高くなる。
【０００５】
米国特許第５，６５６，１７４号明細書には、連続的に稼動させ得る脱水機構が記述されている。その機構では、一連の濾過スクリーンと、任意的ではあるが更なる分離用装置（例えば、ハイドロサイクロン）とが使用され、次いで、凝集剤が添加されて、微細な固形物が凝集させられる。次いで、綿毛状に凝集した物質は、Ａ形フレーム上に支持された２つのスクリーンを備えたトラッキング・スクリーンの上を通過させることによって、濾過される。記述されている機構によって、比較的大きいシステム・スループット［例えば、１２００米国標準ガロン／分（０．０７３ｍ3／秒）］を達成することができるが、数多くの欠点を持っている。スラリーの流量又はパルプ濃度の変動に呼応して、凝集剤の添加を調整する手段が全く備わっていない。従って、凝集剤の最適量をむらなく安定して添加することはできないものと思われる。凝集剤が、Ａ形トラッキング・スクリーンに添加されるので、綿毛状凝集塊が局部的に沈澱し、装置内部に「泥の堆積層（ｍｕｄ  ｂａｎｋｓ）」が形成されることがある。そのような泥の堆積層のために、そのスクリーンに物質が不均一に送出されることとなり、スクリーンの全表面積が非効率的に使用される結果となっている。極端な場合、閉塞（ｃｌｏｇｇｉｎｇ；目詰まり）によって、それらスクリーンが作動できなくなることもある。
【０００６】
本発明によって、一層高い流量が可能で、操作が一層容易で、しかも、上述の諸不都合が軽減されている脱水機構が提供される。
本発明の方法、機構（ｓｙｓｔｅｍ；システム）及び装置は、ポンプ浚渫からの放出物を処理するのにとりわけ適しているものの、それらは、必要に応じて改造すれば、種々の源からのスラッジを脱水するのにも使用することができる。
【０００７】
本発明によると、スラリーの流れを脱水する方法において、
（ａ）１つ以上のパラメータを頻繁に又は連続的に決定する工程；
（ｂ）その決定した１つ以上のパラメータに呼応して凝集剤を添加する工程；
（ｃ）綿毛状に凝集したスラリーの流れを与えるために、前記凝集剤を前記スラリーと混合する工程；
（ｄ）前記の綿毛状に凝集したスラリーを、拡散体を通してトラッキング・スクリーンの上に送出する工程；及び
（ｅ）固形物と濾液とを与えるために、前記トラッキング・スクリーンを通して前記の綿毛状に凝集したスラリーを濾過する工程；
を包含する上記脱水方法であって、前記パラメータが、前記スラリーの流量；該スラリーのパルプ濃度；及び前記濾液のパルプ濃度である、上記脱水方法が与えられる。
【０００８】
本発明のもう１つの面において、スラリーの流れを脱水する装置において、
（ｉ）  １つ以上のパラメータを頻繁に又は連続的に決定する手段；
（ｉｉ）  前記スラリーに凝集剤を添加する手段；
（ｉｉｉ）  前記の添加する手段によって前記凝集剤の添加速度を制御するために、前記の決定された１つ以上のパラメータに呼応する手段；
（ｉｖ）  前記凝集剤を前記スラリーと混合して、綿毛状に凝集したスラリーの流れを生成するミキサー；
（ｖ）  前記の綿毛状に凝集したスラリーを濾過して、固形物と濾液とを与えるトラッキング・スクリーン；及び
（ｖｉ）  前記の綿毛状に凝集したスラリーを前記トラッキング・スクリーン上に送出するための拡散体；
を備えた上記脱水装置であって、前記パラメータが、前記スラリーの流量；該スラリーのパルプ濃度；及び前記濾液のパルプ濃度である、上記脱水装置が与えられる。
【０００９】
本発明のもう１つの面において、綿毛状に凝集したスラリーの流れをトラッキング・スクリーンまで送出するための拡散体において、その綿毛状に凝集したスラリーの流れのための入口を有する基部から、上部分であってその部分で前記の綿毛状に凝集したスラリーの流れが前記トラッキング・スクリーンに送出される該上部分まで立ち上がっている、垂直に配置された導管であって、前記基部から前記上部分まで一定であるか又は増大している水平断面積と、前記基部から前記上部分まで実質的に増大しているアスペクト比とを有している該導管を備えている上記拡散体が与えられる。好ましくは、基部が１：１〜４：１という比較的低いアスペクト比の水平断面を有し；上部分が４０：１〜１００：１という比較的高いアスペクト比の水平断面を有し；且つ、［前記上部分における水平断面積］対［前記基部における水平断面積］の比が１：１〜３：１である。
【００１０】
また、トラッキング・スクリーンと、そのような拡散体とを備えている組立て体も与えられる。拡散体とトラッキング・スクリーンとを備えている該組立て体は、支持体の上に据え付けられる場合がある。拡散体及びトラッキング・スクリーンを備えている該組立て体を運搬手段に呼応して移動させて、該トラッキング・スクリーンから固形物を重力によって取り除くことができるように、調節可能な状態で該運搬手段上に据え付けられている支持体の上に、該組立て体が据え付けられる場合がある。その組立て体を移動させる手段は、１つ以上の電気機械的アクチュエータ又はジャッキを備えている場合がある。
本発明による拡散体及び組立て体は、本発明による脱水する方法及び装置で使用することができる。
【００１１】
本発明のもう１つの面において、分離スクリーンから濾過ケーキを回収するための装置であって、
向かい合っている端を有する、一定間隔をあけて置かれた一対の細長い側壁、及びそれらの間に広がっている底壁；並びに
それら側壁の少なくとも一方から内側に向かって伸びている複数のプレートであって、前記濾過ケーキが前記スクリーンから前記底壁に落下する勢いを弱めるためのラダーを形成する複数の高台を確立している該プレート；
を備えている、上記回収装置が与えられる。
【００１２】
濾過ケーキを回収するための、本発明によるこの装置は、本発明による脱水する方法及び装置で使用することができる。
スラリーの流量を検出する手段は典型的には、ドップラー流量計である。適切な装置は、グレイライン・インストルメンツ社（Ｇｒｅｙｌｉｎｅ  Ｉｎｓｔｒｕｍｅｎｔｓ，Ｉｎｃ．）から入手できる「Ｇｒｅｙｌｉｎｅ  ＰＤＦＭ−ＩＶ」である。もう１つの適切な装置は、コンプフロー（ＣｏｍｐｕＦｌｏｗ）からの「Ｃ５型超音波ドップラー流量計（Ｃ５  ｕｌｔｒａｓｏｎｉｃ  Ｄｏｐｐｌｅｒ  Ｆｌｏｗ  Ｍｅｔｅｒ）」；である。
【００１３】
スラリーのパルプ濃度を検出する手段は典型的には、コリオリ管（Ｃｏｒｉｏｌｉｓ  ｔｕｂｅ）である。コリオリ管はコリオリ効果（Ｃｏｒｉｏｌｉｓ  ｅｆｆｅｃｔ）を利用してスラリーの密度を、従ってスラリーのパルプ濃度を測定する。もう１つの方法として、核密度計を使用してもよい。スラリーのパルプ濃度を測定することが好ましいが、（スラリーのパルプ濃度に代えるか、又はスラリーのパルプ濃度に加えて）濾液のパルプ濃度を測定し、次いで、必要な凝集剤の量を計算するのにこの情報を利用することも可能である。
【００１４】
流量及び／又はパルプ濃度の測定からの読取り値は、凝集剤の添加速度を制御する手段に通信する。この制御手段は好ましくは、プログラマブルロジック調節器（ＰＬＣ）である。その通信は好ましくは、電子回路による。適切なＰＬＣは、東芝からのＴ１型である。ＰＬＣは、処理されているスラリーの特定の特性のために前もってセットされ決定されている演算手順（ａｌｇｏｒｉｔｈｍ）を使用して、測定された流量及び／又はパルプ濃度（好ましくは、両方）に呼応した、添加すべき凝集剤の必要量を計算する。このようにして、流量及び／又はパルプ濃度が変動した場合、添加される凝集剤の添加速度は、自動的に調節される。
【００１５】
凝集剤は、ＰＬＣの制御下で添加する。凝集剤の添加は好ましくは、ＰＬＣと電子通信されている容量型ポンプを用いて達成する。容量型ポンプ好ましくは、メータリングポンプの種類である。適切なポンプは、Ｍｏｙｎｏ（ＲＴＭ）メータリングポンプである。ＰＬＣによって、メータリングポンプの回転数／分（ＲＰＭ）（従って、凝集剤の添加速度）が調節される。
【００１６】
スラリー流れに対する凝集剤の添加は好ましくは、環状「ハロー（ｈａｌｏ）」型の複開口部注入ステージを通して行う。これによって、凝集剤の添加が一層均一となり、従って、ポリマーと固形物の間の一層効果的な初期接触が得られ、綿毛状凝集反応が改善される結果となる。
【００１７】
凝集剤を添加した後、凝集剤とスラリーを混合する。この混合工程は好ましくは、ダイナミックミキサー、即ち単純混合機［好ましくは、（例えば、可変抵抗器によって）混合速度を調節することのできる３枚羽根櫂を有する混合機］を用いて行う。これによって、処理されている特定のスラリーに呼応して、混合速度を調節することができる。しかし通常は、特定の作業に対する速度に設定すれば十分であり、作業が進むにつれて、混合速度を連続的に調節する必要はないと思われる。混合速度が重要であることは、当業者には明白である。なぜなら、速度を落とし過ぎると、凝集剤の分散が制限されて、効果的な綿毛状沈降反応が達成されず、他方、速度を速くし過ぎると、形成される綿毛状凝集塊を剪断するからである。しかし、ダイナミックミキサーがＰＬＣと通信することが望ましく、それによって、容量型ポンプが使用されているときはいつも自動的に作動する。
【００１８】
凝集剤は好ましくは、アニオンポリマー、カチオンポリマー、又は非イオンポリマーを含有する。しかし、カチオンポリマーは、それらが魚介類に対して有害である恐れがある場合、好ましくない。従って、回収した水を環境に戻すとき（通常、そのケースである）、カチオンポリマーの使用は適切でない。
１種のポリアクリルアミド；又は複数種のポリアクリルアミドの混合物；を含有する凝集剤は、とりわけ好ましい。
【００１９】
凝集剤として、エマルションポリマーが伝統的に使用されて来たが、これらポリマーは有機溶媒を含有するという欠点を持っている。従って、回収した水を環境に戻す場合、エマルションポリマーを使用するのは望ましくない。本発明では、水和時間が速い乾燥ポリマーを使用することがとりわけ好ましい。それら乾燥ポリマーを、容量型ポンプによってスラリー流れに添加する前に、前水和する（ｐｒｅｈｙｄｒａｔｅｄ；予め水和する）。これら容量型ポンプによって、乾燥物質を取り扱うことが便利となり、また、利用可能なポリマーを一層広い範囲に渡って提案することが可能となるだけでなく、十分短い水和時間が与えられ、ポリマーを添加する工程の前に許容時間内で前水和する。この乾燥ポリマーを前水和するために、脱水プロセスからの回収済み水を使用することは、とりわけ便利であり好都合である。
【００２０】
綿毛状凝集塊を形成するための更なる時間は、スラリー流れがミキサーから脱水工程のための拡散体まで移動する間に得られる。
上記に規定する拡散体（本明細書では時々「ライザー（ｒｉｓｅｒ）」という）は、本発明の方法の重要な一面である。なぜなら、綿毛状に凝集したスラリーの均一に分配された流れがトラッキング・スクリーンまで送出されるのが、拡散体によって可能となるからである。そのような拡散体を備えていない従来技術の機構では、綿毛状に凝集したスラリーがトラッキング・スクリーンまで送出される前に該スラリーが閉塞し易い。本発明の拡散体によって、綿毛状に凝集したスラリーがトラッキング・スクリーンまで均一に送出され、その結果、トラッキング・スクリーンの表面全体が有効に使用されることになり、従って、スループットが改善される。
【００２１】
本発明の好ましい態様によると、拡散体は、概して扇形であり；正面図において、比較的狭い基部から、実質的に三角形の中間部を経由して、比較的広い上部分まで立ち上がっており；且つ、側面図において、基部から、一層狭い上部分まで次第に細くなっている。基部及び上部分は好ましくは、正面図と側面図の両方において、実質的に矩形である。
好ましい態様において、綿毛状に凝集したスラリーの流れのための入口は、導管と直角になっている。これによって、綿毛状に凝集したスラリーに対する剪断力が増大し、それによって、綿毛状凝集塊が均一に浮遊する状態が維持され、また、局部的沈澱が防止される。
【００２２】
拡散体は好ましくは、該拡散体の上部分の前方及び後方のリムに平行に且つ該リムの僅かに下方に配置され、水平面から３０〜６０°の角度で下方に伸びているフランジを更に備えている。この角度は、Ａ形フレームのトラッキング・スクリーンの角度と一致するのが好ましい。大抵の場合、４０〜５５°（好ましくは４５〜５０°）の角度が適切であろう。これらフランジは、本明細書ではときどき「堰プレート」と呼ぶ。
【００２３】
トラッキング・スクリーンは、本明細書ではときどき「分離スクリーン」と呼ぶが、好ましくは、Ａ形フレーム上に据え付けられた２つのスクリーンを包含する。そのようなトラッキング・スクリーンは、米国特許第５，６５６，１７４号明細書に詳細に記述されている。各々のスクリーンが設置される角度は、拡散体のフランジの角度（即ち、水平面から３０〜６０°、好ましくは４０〜５５°、一層好ましくは４５〜５０°）と一致するのが好ましい。しかし、米国特許第５，６５６，１７４号明細書では、Ａ形フレームの各々の側面上のスクリーンが（好ましくは、２つの異なる角度で設置されている）２つのスクリーン部分から成る機構を使用することが好ましいという次第であるから、本発明の拡散体を併用する場合、これは必要でないということが分かった。従って、本発明では、異なる角度を使用することは可能であるが、Ａ形フレームの各々の側面の全長を通して単一角度で設置されたトラッキング・スクリーンを使用することが好ましく、また、Ａ形フレームの各々の側面に沿った単一スクリーン部分を使用することも好ましい。
【００２４】
トラッキング・スクリーンは好ましくは、０．３〜１．５ｍｍ（一層好ましくは０．４〜１．０ｍｍ、最も好ましくは０．５〜０．９ｍｍ）の複数の目を有する。トラッキング・スクリーンは好ましくは、Ｖ字形ワイヤ角度が５〜１０°に設定されたＶ字形ワイヤを有する。Ｖ字形ワイヤ角度とは、該スクリーンの表面に綿毛状凝集塊が捕捉されるのを助けるために、Ｖ字形（横断面が三角形）のワイヤが該スクリーンの下のスラリー流れに対して設定されている角度である。
Ａ形フレームの各々の側面上のスクリーンは好ましくは、Ａ形フレームの先端で蝶番を用いて据え付ける。そのとき、スクリーンの角度は、トラッキング・スクリーンと拡散体とを備えた組立て体を使用している場合でさえ、調節することができる。
【００２５】
トラッキング・スクリーンはまた、濾過工程の効率を高めるための振動機を備えているのが好ましい。振動機によって、スクリーンの放物線形振動（ｐａｒａｂｏｌｉｃ  ｖｉｂｒａｔｉｏｎ）が与えるのが好ましく、また、振動速度は、好ましくは１０００〜３５００回転数／分（ｒｐｍ）、一層好ましくは１３００〜２６００ｒｐｍである。
【００２６】
本発明の脱水方法に使用する装置は通常、トレーラ又は平底荷船のような運搬手段の上で実施されるものと思われる。この場合、トラッキング・スクリーンと拡散体とを備えた組立て体は、支持体の上に据え付けるのが好ましい。この支持体は今度は、調節可能な状態で運搬手段の上に据え付けるのが好ましい。これは、電気機械的アクチュエータ又はジャッキを用いて達成することができる。これによって、組立て体全体を運搬手段に呼応して移動させることが可能となり、固形物を重力によってトラッキング・スクリーンから取り除くことが可能となる（以下を参照）。
【００２７】
分離スクリーンから濾過ケーキを回収するための装置は、該回収装置内部の濾過ケーキの安息角を調節することができるように、旋回心軸上で分離スクリーンと連結するのが好ましい。それの底壁は好ましくは、濾過ケーキを回収装置の中から外に流出させることができる開口に向かって下の方へ傾斜しており；それの一対の側壁は好ましくは、前記開口に向かって下の方へ伸びており；しかも、それら側壁と協同して前記底壁が下向きに傾斜しているために、前記回収装置は、前記開口から一方の向かい合っている端までの深さよりも、前記開口の近辺での深さが一層深くなっている。それの諸プレートは好ましくは、少なくとも一方の側壁に沿って、且つ前記回収装置の深さに従って垂直方向に、均一に分配されている。それら側壁の一方は好ましくは、跳ね返り防止板を備えている。
【００２８】
本発明の、スラリーを脱水する方法は好ましくは、
（ｆ）濾液を更に浄化する工程
を更に包含する。
これは、当業者に知られている多くの手段のいずれか１つによって（例えば、沈降又は濾過によって）達成することができる。沈降は、山形リブ（ｃｈｅｖｒｏｎ  ｒｉｂ）浄化器若しくは傾斜リブ（ｓｌａｎｔ  ｒｉｂ）浄化器を用いるか、又は代わりにフラク・タンク（ｆｒａｃ  ｔａｎｋ）を使用することによって達成することができる。濾過は、砂濾過器又は炭素濾過器（ｃａｒｂｏｎ  ｆｉｌｔｅｒ）を用いて達成することができる。
【００２９】
浄化済み水は、環境（例えば、浚渫されている水路）に戻すことができる。また、濾液は、凝集剤として使用される乾燥ポリマーを前水和するのに使用することができる（上述を参照）。
【００３０】
更に、本発明のスラリー脱水方法は好ましくは、
（ｇ）固形物を更に脱水する工程
を更に包含する。
この更なる脱水工程は、ベルトプレスによって達成するのが好ましい。ベルトプレスによって、十分に乾燥して廃棄処分が容易であるか又は土として販売もされる生成物が与えられ、明らかな商業的利点が与えられる。
【００３１】
濾過された綿毛状凝集塊は、トラッキング・スクリーンの表面上に蓄積され、次いで、該スクリーンから、雪だるま式効果（ｓｎｏｗｂａｌｌ−ｔｙｐｅ  ｅｆｆｅｃｔ）で転がり落ちる。濾過済み綿毛状凝集塊は、コテージチーズ（ｃｏｔｔａｇｅ  ｃｈｅｅｓｅ；柔らかく白いチーズ）に似た粘稠性（ｃｏｎｓｉｓｔｅｎｃｙ）で、該スクリーンを去る。これらの固形物は、更なる脱水工程のためにコンベヤーベルトによって移動させることができる。しかし、調節可能な状態で運搬手段の上に据え付けられている支持体の上に、トラッキング・スクリーンと拡散体とを備えた組立て体が据え付けられている場合（上述を参照）、該組立て体を高く持ち上げることが可能であり、それによって、それら固形物の移動は、例えば、トラフ（ｔｒｏｕｇｈ）のような重力による手段によって達成することができる。それら固形物は、本明細書ではときどき「濾過ケーキ」と呼ぶ。
【００３２】
本発明の脱水方法を作動する、とりわけ好ましいやり方において、スラリーの流れは、複数の並行して処理される流れであって、各々に拡散体とトラッキング・スクリーンとが与えられている該並行な流れの中に凝集剤を添加した後、分割する。並行な流れの数は、達成することが望まれているスループット（ｔｈｒｏｕｇｈｐｕｔ；処理量）に依存する。５０００米国標準ガロン／分（０．３０ｍ3／秒）以下のスループットは、４つの流れを使用して達成することができる。
【００３３】
本発明の方法によって脱水すべきスラリーは、当業者に知られている技術（例えば、米国特許第５，６５６，１７４号明細書に記述されている技術）による浚渫プロセスから得ることができる。初期の浚渫プロセスは典型的には、オーガー又はカッターヘッド・ポンプ浚渫機を用いて、水路の底部から堆積物（ｓｅｄｉｍｅｎｔｓ；沈澱物）を浚渫し、スラリー化する工程を含む。浚渫したものは、次いで、水路からの水で希釈して、処理場所までポンプで汲み上げることができるようにする。
【００３４】
次いで、この流れは典型的には、自浄粗塊スクリーン（ｓｅｌｆ−ｃｌｅａｎｉｎｇ  ｃｏａｒｓｅ  ｓｃｒｅｅｎ）（典型的には、１０〜３０メッシュ［米国基準］［篩目の開きは０．５９〜２．０ｍｍ］）の上に排出して、大きい土石を取り除く。次いで、その粗塊スクリーンからの底流スラリーは、細かい砂利、頁岩（ｓｈａｌｅ）及び粗砂のような、中間サイズの物質を取り除くために、中目振動スクリーン（典型的には２０〜１００メッシュ［米国基準］［篩目の開きは０．１４９〜０．８４ｍｍ］、好ましくは３０〜８０メッシュ［米国基準］［篩目の開きは０．１７７〜０．５９ｍｍ］）の上に、ポンプで汲み上げるか又は重力送りをする（ｇｒａｖｉｔｙ  ｆｅｄ）。適切なスクリーンは、デリック・イクイップメント・カンパニー（Ｄｅｒｒｉｃｋ  Ｅｑｕｉｐｍｅｎｔ  Ｃｏ．）又はリナテックス・イクイップメント・コーポレーション（Ｌｉｎａｔｅｘ  Ｅｑｕｉｐｍｅｎｔ  Ｃｏｒｐｏｒａｔｉｏｎ）から入手することができる。
【００３５】
スラリー中に、微細であるが凝集剤と結合しない高い比重の物質が入っている場合、ハイドロサイクロンの列を用いてこの物質を取り除き、スラリーを更に処理することが好都合である。この高比重物質は、ハイドロサイクロン・ボール（ｈｙｄｒｏｃｙｃｌｏｎｅ  ｂｏｗｌ）の側に吐き出し、次いで、錐状体の底部を通して排出する。スラリーは、事前のスクリーニングを行わないで、ハイドロサイクロンまでポンプで直接汲み上げることもできる。
その場合、残渣スラリーは、本質的に微細物質及び超微細物質［例えば、粘土、シルト（ｓｉｌｔｓ；沈泥）及び有機組成物］のみを包含するはずであるので、残渣スラリーは、続いて本発明の方法に従って脱水するのに適している。良好な綿毛状凝集反応を達成するためには、パルプ濃度は、（［固形物の重量］対［容量］比で）２〜２０％（好ましくは、５〜１０％）の範囲とすべきである。
【００３６】
次に、具体的な諸態様及び諸図面を参照しつつ、本発明による、脱水方法、脱水装置、拡散体、及び分離スクリーンから濾過ケーキを回収するための装置を更に記述するが、この記述は単に例証するものであって、本発明を限定する意図は全くない。
図８の図式表示に最もよく示されるように、本発明による、高速で脱水する装置及び方法１０は、流量計１２、パルプ濃度測定装置１４、プログラマブルロジック調節器（ｐｒｏｇｒａｍｍａｂｌｅ  ｌｏｇｉｃ  ｃｏｎｔｒｏｌｌｅｒ；プログラム可能な論理制御器）１６、ミキサー１８及び高速脱水装置２０を備えている。
【００３７】
一層詳しく言えば、本発明の装置１０は、脱水すべきスラッジの源２２と連結している状態で示される。装置１０は、粗土石及び／又は高密度土石を除去するための振盪機及び／又はハイドロサイクロン装置（ｈｙｄｒｏｃｙｃｌｏｎｅ  ｄｅｖｉｃｅ）２４；並びに、固形物貯蔵装置又は廃棄装置（ｄｉｓｐｏｓａｌ  ｕｎｉｔ）２６；を備えているように描かれている。プログラマブルロジック調節器１６は、操作可能なようにポンプ２８と接続されている。このポンプ２８は、スラリー流れがミキサー１８の中に入る前の位置か、又はスラリー流れがミキサー１８の中に入った後の位置でポリマー凝集剤をポリマー貯蔵容器３０からスラリー流れまで送出するための該ポリマー貯蔵容器３０と連結している。ミキサー１８によって、綿毛状に凝集したスラリーは、脱水装置２０の中に放出される。脱水装置２０によって、濾過ケーキの綿毛状凝集塊（ｆｌｏｃｃｕｌｅｓ）３１は固形物ベルトプレス３２へ放出され；濾液はサージタンク３４へ放出され；また、綿毛状に凝集した物質は循環タンク３６へ放出される。そのような物質は、循環タンク３６から振盪機及び／又はハイドロサイクロン２４へ、次いで、再び全装置１０を通過させるように送り出すことができる。濾液サージタンク３４の出力は、振盪機及び／若しくはハイドロサイクロン２４へ、又は二次処理装置３８へ再循環することができる。
【００３８】
図１に、陸路で運搬するために、平床型トレーラ（ｆｌａｔｂｅｄ  ｔｒａｉｌｅｒ）４０の上に据えられた高速脱水装置２０を示す。本発明はまた、平底荷船（ｂａｒｇｅ）若しくは貨車のような他の適切な運搬手段であれば如何なる運搬手段と連結した状態ででも具体化することができるし、又は常設装置の状態で具体化してもよい。脱水装置２０は広義において、トラッキング・スクリーン組立て体４４（図７）及び拡散体組立て体若しくはライザー４６（図４及び図６）を支持する、支持構体又はフレームワーク（ｆｒａｍｅｗｏｒｋ；架枠）４２を備えている。
【００３９】
フレームワーク４２は、上部フレーム５０及び拡散体フレーム５２と共に、入れ子式重ね合せの状態で、下部フレーム４８を備えているように、図１、図６及び図７に最もよく示される。２つの鏡像半分体（ｍｉｒｒｏｒ  ｉｍａｇｅ  ｈａｌｖｅｓ）であって、各々の半分体が、一定間隔を置いて配置されている１組の後部垂直直立支持構材５６、中央部垂直直立支持構材５８及び前部垂直直立支持構材６０を横切ってそれらと連結されている細長い水平基部構材５４を備えている該２つの鏡像半分体の形で、下部フレーム４８は構成されている（図７）。それら直立支持構材（５６、５８及び６０）は、等しい長さの適切な材料（例えば、角管鋼材）で構成されている。交差補強材６２は、直立支持構材（５６、５８及び６０）の各々の組を横切ってそれら直立支持構材の最上端と一定間隔をあけた関係で、それら直立支持構材と相互連結している。基部構材５４を水平支持表面（例えば、トレーラ４０の床）に連結するために、複数の留め具６４が与えられている。
【００４０】
交差補強材７２を横切って該補強材７２と連結している後部垂直支持構材６６、中央部垂直支持構材６８及び前部垂直支持構材７０であって、対置し整合する複数の組のものを、上部フレーム５０は備えている。それら支持構材（６６、６８及び７０）もまた、角管で構成されており、下部フレーム４８の、対応の管状直立支持構材（５６、５８及び６０）の内側に受け入れられるような大きさに作られている。直立しているＡ形フレーム７４は、各々の上部フレーム５０の交差補強材７２の中心にくるように置かれており、また、ヘッダー（ｈｅａｄｅｒ）８０が載っている一対の脚（７６及び７８）を備えている。中央部支持構材６８は、Ａ形フレームのヘッダー８０と連結するために伸びている。上部フレーム５０の後部垂直支持構材６６及び前部垂直支持構材７０の上に、ヘッダー８２が置かれており、また、ヘッダー８２は、Ａ形フレームの脚（７６及び７８）の側面に角張った状態で接続されて、四角形状の平面図を形成している。
【００４１】
Ａ形フレームのヘッダー８０は、一対のトラッキング・スクリーン組立て体４４を据えるための、一定間隔を置いて配置された一対の蝶番（ｈｉｎｇｅｓ）８４を有する。図６に最もよく示されるように、下部フレーム４８は、下げられた運搬／貯蔵位置から、図７に示されるような高められた作業位置まで上部フレーム５０を力強く動かすための、一対の対向型スクリュー式ジャッキ８６を備えている。
【００４２】
図１に示すように、脱水機構１０として、複数の脱水装置２０であって、各々の脱水装置２０が、トラッキング・スクリーン組立て体４４と拡散体４６とを支持する支持構体４２を備えた該複数の脱水装置２０を使用することができる。そのような脱水機構１０において、支持構体４２のヘッダー８２を延長して適切に補強し、各々の機構装置２０の両端に通路８８を形成することができる。それらヘッダー８２の両端の間に甲板ガードレール９０を据え付けることができる。
【００４３】
図６に示されるように、拡散体支持フレーム５２は、一対の垂直支持構材９４を横切ってそれら垂直支持構材９４を相互連結している下部基部構材９２を有する。それら垂直支持構材９４の上部分は、鏡像の関係で外に向かってある角度を成して上部支持構材フレーム５０と連結し、全体的に「くの字形」構成が与えられている。一対の方杖（ａｎｇｌｅ  ｂｒａｃｅｓ）９６は、垂直支持構材９４の下部分を拡散体フレーム基部構材９２と相互連結している。概して平面の床板９８は、基部構材９２の中心に置かれている。床板９８は好ましくは、１／２インチ（１２ｍｍ）鋼材で構成される。
【００４４】
トラッキング・スクリーン組立て体４４は好ましくは、Ａ形フレームの蝶番８４と、支持の関係で連結されている後部スクリーン組立て体１００と前部スクリーン組立て体１０２とを備えている。そのようなトラッキング・スクリーンは、米国特許第５，６５６，１７４号明細書に詳細に記述されている。各々のトラッキング・スクリーン組立て体４４は、概して平面のスクリーン１０６であって後部滴受け（ｒｅａｒ  ｄｒｉｐ  ｐａｎ）１０７の上方にある該スクリーン１０６を支持している開放方形フレーム（ｏｐｅｎ  ｓｑｕａｒｅ  ｆｒａｍｅ）１０４を有する。排水路１０８は、滴受け１０７（一方は図７に示す）の各々の下部コーナーと連結されていて、濾液をサージタンク３４（図８）まで運ぶためのシュート（ｃｈｕｔｅ；落とし樋）（図示せず）を受け入れる。
【００４５】
図２及び図３に最も良く示されているガター（ｇｕｔｔｅｒ；溝）１１０は、濾過ケーキ３１を受け入れるように、各々のフレーム１０４の外側に向いている下部縁の下の旋回心軸（ｐｉｖｏｔｓ）１０９の上に据え付けられている。各々のガター１１０は、一対の側壁１１１；一連の千鳥に配列されたプレート又はラダー（ｌａｄｄｅｒｓ；はしご）１１２であって、それら側壁から内側に向かって伸びているもの；及び底壁１１３；を備えている。１組の平板１１２は、図２及び図３に描かれるように、それら側壁１１１の各々から内側に向かって伸びる場合もあるし、或いは、図９に描かれるように、複数の列のプレート１１２が存在する場合もある。それらプレート１１２は通常、平坦であり、形状は四辺形である。
【００４６】
図９及び図１０に描かれるガターのもう１つの第１の態様１１０ａは、複数の側壁１１１ａ；底壁１１３ａ；及び一連の千鳥に配列されたプレート又はラダー１１２ａであって、真ん中のラダー１１２ａが、複数の管状ワイヤ１１７ａによってそれら側壁１１１ａから支持されているもの；を備えている。ガターのもう１つの第２の態様１１０ｂは、複数の側壁１１１ｂの間に伸びている複数の曲げ板１１２ｂを備えている。それらガター（１１０、１１０ａ及び１１０ｂ）は、前方の側壁（１１１、１１１ａ又は１１１ｂ）が上向きに伸びて跳ね返り防止板（ｓｐｌａｓｈ  ｇｕａｒｄ）（１１４、１１４ａ又は１１４ｂ）を形成するように構成されている。ガター（１１０、１００ａ又は１１０ｂ）は、脱水装置２０の片側の方へ傾斜するように構成される場合もあり、或いは、ガター（１１０、１００ａ又は１１０ｂ）は、中央開口１１５の方に向かって集まる場合もある。プレート（１１２、１１２ａ又は１１２ｂ）は、それら側壁（１１１、１１１ｂ）に沿って；ガター１００ａの中心を横切って；且つ、ガター（１１０、１１０ａ又は１１０ｂ）の深さ方向に垂直に；均一に分配されており、その結果、それらプレート（１１２、１１２ａ又は１１２ｂ）の間の垂直距離は約４インチ（１００ｍｍ）を越えない。
【００４７】
濾過ケーキ３１は、スクリーン１０６からプレート（１１２、１１２ａ又は１１２ｂ）の上に落下する。綿毛状凝集塊（ｆｌｏｃｃｕｌｅｓ；微細な綿状沈澱物）３１は、プレート（１１２、１１２ａ又は１１２ｂ）の上に集まり、綿毛状凝集塊３１が更に落下するときの緩衝材として作用する。一旦、所定の荷重に達すると、蓄積したケーキ３１はプレート（１１２、１１２ａ又は１１２ｂ）から滑り落ち、次いで、続く下方のプレート（１１２、１１２ａ又は１１２ｂ）へ落ちる。このように、プレート（１１２、１１２ａ及び１１２ｂ）は、濾過ケーキ３１がスクリーン１０６から底壁（１１３、１１３ａ又は１１３ｂ）へ落下する勢いを弱め、その結果、綿毛状凝集塊の剪断は最小限に抑えられる。ケーキ３１が一旦、底壁（１１３、１１３ａ又は１１３ｂ）に到達すると、傾斜角度のお陰で、ケーキ３１は開口１１５まで運ばれる。ガター（１１０、１１０ａ又は１１０ｂ）のもう１つの手段として、又はガター（１１０、１１０ａ又は１１０ｂ）に加えて、濾過ケーキ３１がスクリーン１０６を滑り落ちた後、その濾過ケーキ３１を運び去るために、トレーラ４０の上に、コンベヤー（図示せず）が支持されることがある。
【００４８】
トラッキング・スクリーン組立て体４４は、図７に示されるような電気機械的なアクチュエータ（ａｃｔｕａｔｏｒｓ；作動装置）又はネジジャッキ１１６を備えており、それによって、脱水されるべきスラリーの特徴に応じて、スクリーン組立て体（１００及び１０２）の角度を調整することが可能となる。適切な電気機械的アクチュエータは、ダフ・ノートン社（Ｄｕｆｆ−Ｎｏｒｔｏｎ  Ｃｏｍｐａｎｙ）によって製造され、そこから入手することができる。アクチュエータ１１６は、各々のフレーム１０４の、内側に向いている側の縁の各々と連結されている。このように、スクリーン組立て体（１００及び１０２）の角度は、脱水装置２０を作動している間でさえ、調整することができる。濾過効率を高めるために、振動機もまた、トラッキング・スクリーンのフレームと連結することができる。好ましい振動機によって、約１３００〜約２６００回転数／分（ｒｐｍ）の速度で、スクリーン１０６の放物線形振動（ｐａｒａｂｏｌｉｃ  ｖｉｂｒａｔｉｏｎ）が与えられる。
【００４９】
トラッキング・スクリーン１０６は、Ｖ字形ワイヤ構造（ｗｅｄｇｅ−ｗｉｒｅ  ｃｏｎｓｔｒｕｃｔｉｏｎ）であって、各々のワイヤ１１８が三角形の断面を有し、約０．５ｍｍ〜約０．９ｍｍの複数のワイヤ１１８の間に複数の目（ｏｐｅｎｉｎｇｓ；開口）を有する該ワイヤ構造のものである。それらＶ字形ワイヤ１１８は、約５°〜約１０°の好ましい角度で、スクリーン１０６の表面上に綿毛状凝集塊３１を捕捉するのを助けるために、各々のスクリーン１０６の下方のスラリーの流れに対して予め選択された角度を成すように設定されている。
【００５０】
図４、図６及び図７に描かれる脱水装置２０は、前方壁１２０、後方壁１２２及び一対の同一側壁１２４を有する、概して垂直に配置されたライザー（ｒｉｓｅｒ；立ち上り体）４６を備えた、全体的に概して扇形の構成となっている。ライザー４６は、概して矩形の基部１２６と、概して三角形の中間部１２８と、概して矩形の上部分１３０とを有する。正面図で見れば、基部１２６は比較的狭く、また、上部分１３０はかなり広い。基部１２６は、約１：１〜約４：１という比較的小さいアスペクト比の水平断面を有し、また、上部分１３０は、約４０：１〜約１００：１という比較的高いアスペクト比の水平断面を有する。［上部分１３０の水平断面］対［基部１２６の水平断面］の比は、約１：１〜約３：１である。中間部１２８は、概して三角形又は台形の正面図を有し、側面図は上に向かって次第に細くなっている。
【００５１】
正面図で見れば、基部１２６は、約１フィート２．７５インチ（３７．５ｃｍ）という比較的狭い幅を有し、また、上部分１３０は、約８フィート０インチ（２．４４ｍ）という比較的広い幅を有する。側面図で見れば、拡散体４６は、約６．５インチ（１６．５ｃｍ）の深さを有する基部１２６から、約１．６２５インチ（４．１ｃｍ）の深さを有する一層狭い上部分１３０まで次第に細くなっている。図４及び図６に例示される拡散体４６の諸構成要素の相対寸法は、実寸法に対して厳密には比例していない。
【００５２】
拡散体の基部１２６の前方壁１２０は、半径方向に広がったフランジ１３４を備えたスタブ管（ｓｔｕｂ  ｐｉｐｅ；短く太い管）１３２と連結するために、中央部に開口が設けてあり、その構造は集合的に、綿毛状に凝集した（ｆｌｏｃｃｕｌａｔｅｄ；綿毛状の塊になった）スラリーの流れを受け入れるための入口１３６の形を定めている。好ましい態様において、入口１３６はライザー４６と直角になるように搭載される。そのような構造によって、スラリーに対する剪断力が増大し、それによって、綿毛状凝集塊が均一に浮遊するのを保持され、且つ、局部的な沈降が防止される。ライザー４６は好ましくは、厚さが約０．０５ｍｍの１０ゲージシート（ｇａｕｇｅ  ｓｈｅｅｔ）金属で構成される。スタブ管１３２は好ましくは、約１０インチ（２５．４ｃｍ）という好ましい直径を有する炭素鋼（ＳＣＨ．４０）で構成される。
【００５３】
拡散体の上部分１３０は、リム（ｒｉｍ；周縁）１３８が末端部となる。リム１３８は、細長くて狭い出口スロット（ｓｌｏｔ；細長い穴）１３９の形を定めている。この出口スロット１３９は、拡散体４６の側面１２４と連続している、一対の直立した端末ライザー１４０を備えている。端末ライザー１４０は、約３インチ（７．６ｃｍ）リム１３８の上方に向かって突き出ており、また、拡散体４６と同じ材料で構築されている。堰プレート組立て体１４１は、リム１３８に平行に且つリム１３８の下方約３インチ（７．６ｃｍ）を走っている、概してＶ字形の一対の堰プレート１４２を備えている。それら堰プレート１４２は、約４インチ（１０．２ｃｍ）の距離、下方に伸びている。概して平らなスペーサ１４４は、リム１３８と一定間隔をあけた平行状態の関係で、各前方拡散体表面１２０又は各後方拡散体表面１２２と連結されている。概して平らなＶ字形プレート１４６は、スペーサ１４４と一部重なり合う関係で連結されている。このように、スペーサ１４４及びＶ字形プレート１４６は協同して、拡散体４６の上部分１３０の、各前方拡散体表面１２０又は各後方拡散体表面１２２と接触している堰プレート１４２の１つの脚を受け入れ且つ支持するためのスロット１４８を形成する。リム１３８から堰プレート１４２の距離は、水平調整のために、スロット１４８内で堰プレート１４２を垂直に移動させることによって、幾分調節することができる。スペーサ１４４は、堰プレート１４２が下方に移動する範囲を制限するための留め具（ｓｔｏｐ）として役立つ。
【００５４】
それら堰プレート１４２は、水平面から約３０°〜約６０°の角度を成している。好ましい態様において、この角度は、トラッキング・スクリーンの角度（通常約４０°〜約５５°、好ましくは約４５°〜約５０°）と整合させる。それら堰プレート１４２は好ましくは、約０．０５ｍｍの厚さを持つ１０ゲージシート金属で構築されており、また、ライザー４６の前方壁１２０又は後方壁１２２の全長を伸ばしている。
【００５５】
次に、図８を参照すると、本発明によるスラリーを高速で脱水する方法は、スラリーの流れの流量１２及びパルプ濃度１４の一方又は両方を連続的又は頻繁に測定する工程と、前記流量及び／又はパルプ濃度を測定することによって決定される、凝集剤の量を前記スラリーに添加する工程と、前記スラリーを脱水処理する工程と包含する。一層詳しく言えば、本発明の脱水機構及び脱水方法１０によって脱水すべきスラリーは、米国特許第５，６５６，１７４号明細書に記述されているような浚渫によって得ることができる。当業者は、オーガー（ａｕｇｅｒ）又はカッターヘッド・ポンプ浚渫機を使用して水路（ｗａｔｅｒｗａｙ；排水溝）の底からスラッジを取り除くポンプ浚渫装置と併せて、本発明の方法を採用することができることをよく理解するものと思われる。バックホー（ｂａｃｋｈｏｅ）若しくはいわゆる「クラム・バケツ（ｃｌａｍ  ｂｕｃｋｅｔ）」、又はドラグライン（ｄｒａｇ  ｌｉｎｅ）を使用する機械的浚渫装置もまた、採用することができる。スラッジは、重力によって［例えば、ウェル（ｗｅｌｌ；井戸）又は排水溜めまでの排水路を用いた、フィードロット（ｆｅｅｄｌｏｔ；飼育場）の洗浄によって］得られることもある。次に、浚渫された物質は、処理場所までのポンプ輸送を容易にするために、水路からの水で希釈して、スラリー２２を形成する。
【００５６】
スラリー２２は、大きい土石（ｄｅｂｒｉｓ；岩屑）を取り除くために、自浄粗塊スクリーン（ｓｅｌｆ−ｃｌｅａｎｉｎｇ  ｃｏａｒｓｅ  ｓｃｒｅｅｎ）の上にスラリー２２を排出することによって前処理することができる。典型的なスクリーンは、大きい土石を取り除くための、約０．５９〜２．０ｍｍの篩目の開きを有する１０〜３０メッシュ構造のものである。前記粗塊スクリーンからの底流スラリーは、細かい砂利、頁岩（ｓｈａｌｅ）及び粗砂のような、中間サイズのスカルプ物質（ｓｃａｌｐ  ｍａｔｅｒｉａｌ）を取り除くために、中目振動スクリーン２４［例えば、約０．１４９〜０．８４ｍｍの篩目の開きを有する２０〜１００メッシュ（好ましくは、約０．１７７〜０．５９ｍｍの篩目の開きを有する３０〜８０メッシュ）のもの］の上に、ポンプで汲み上げるか又は重力送りをする（ｇｒａｖｉｔｙ  ｆｅｄ）ことができる。適切なスクリーンは、デリック・イクイップメント・カンパニー（Ｄｅｒｒｉｃｋ  Ｅｑｕｉｐｍｅｎｔ  Ｃｏｍｐａｎｙ）又はリナテックス・イクイップメント・コーポレーション（Ｌｉｎａｔｅｘ  Ｅｑｕｉｐｍｅｎｔ  Ｃｏｒｐｏｒａｔｉｏｎ）から入手することができる。
【００５７】
スラリー中に、細目砂等の、凝集剤と結合しない高い比重を有する微細物質が入っている場合、ハイドロサイクロン２４を用いてこの物質を取り除き、スラリーを更に前処理することが好都合である。高比重物質は、ハイドロサイクロン・ボール（ｈｙｄｒｏｃｙｃｌｏｎｅ  ｂｏｗｌ）の側に吐き出し、次いで、錐状体の底部を通して排出する。もう１つの方法として、スラリーは、事前のスクリーニングを行わないで、ハイドロサイクロン２４までポンプで直接汲み上げることができる。
【００５８】
スクリーニング及び／又はハイドロサイクロン２４による前処理の結果、残渣スラリーは通常、微細物質及び超微細物質［例えば、粘土；シルト（ｓｉｌｔｓ；沈泥）；及び脱水装置２０の中を通過するのに適した有機組成物］のみを包含するはずである。良好な綿毛状凝集反応を達成するためには、スラリーの相対パルプ濃度は、約２体積％〜約２０体積％（好ましくは、約５体積％〜約１０体積％）の範囲とすべきである。
【００５９】
スラリーの流速及びパルプ濃度は、その流れが前処理スクリーン及び／又はハイドロサイクロン２４から混合装置１８の中へ通過する時、連続的に又は頻繁に測定する。スラリーの流速を測定するには、通常、ドップラー流量計を使用する。適切な装置には、グレイライン・インストルメンツ社（Ｇｒｅｙｌｉｎｅ  Ｉｎｓｔｒｕｍｅｎｔｓ，Ｉｎｃ．）から入手できる「Ｇｒｅｙｌｉｎｅ  ＰＤＦＭ−ＩＶ」；及びコンプフロー（ＣｏｍｐｕＦｌｏｗ）から入手できる「ＣＳ超音波ドップラー流量計（ＣＳ  ｕｌｔｒａｓｏｎｉｃ  Ｄｏｐｐｌｅｒ  Ｆｌｏｗ  Ｍｅｔｅｒ）」；である。スラリーの密度を測定することによってパルプ濃度を決定するために、コリオリ管（Ｃｏｒｉｏｌｉｓ  ｔｕｂｅ）１４を使用する。もう１つの方法として、核密度計を使用することができる。
【００６０】
流量計１２及びパルプ濃度測定装置１４からの読取り値は、回路構成及びソフトウェアを包含することもあるプログラマブルロジック調節器（ＰＬＣ）１６又は制御論理（ｃｏｎｔｒｏｌ  ｌｏｇｉｃ）まで電子通信される。１つの適切なＰＬＣ１６は、東芝から入手できる「Ｔ１  ＰＬＣ」である。ＰＬＣ１６は、処理されるべき特定のスラリーの特性に従って、所定の演算手順（ａｌｇｏｒｉｔｈｍ）でプログラム化される。ＰＬＣ１６は、流量計１２及びパルプ濃度測定１４からの、適切に測定された読取り値に従って、スラリーを最適に凝集させるのに必要な凝集剤の量を計算するための演算手順を使用する。
【００６１】
計算量のポリマー凝集剤をポリマー貯蔵容器３０からスラリーまで運ぶように容量型ポンプ２８を作動させる信号を、ＰＬＣ１６は発信する。メータリング型ポンプが好ましい。適切な装置には、Ｍｏｙｎｏ（ＲＴＭ）メータリングポンプがある。ＰＬＣ１６は、所定の回転数／分で稼動するように、メータリングポンプ２８を作動させ、それによって、流量及びパルプ濃度に基づいて計算量の凝集剤が添加される。好ましい態様において、スラリー流れに凝集剤を均一に添加するためには、環状「ハロー（ｈａｌｏ）」型の複開口部注入ステージポンプ（ｍｕｌｔｉｐｌｅ−ｐｏｒｔ  ｉｎｊｅｃｔｉｏｎ  ｓｔａｇｅ  ｐｕｍｐ）（図示せず）を使用する。そのような均一な添加によって、ポリマーと固形物の間の初期接触が向上し、且つ凝集反応（ｆｌｏｃｃｕｌａｔｉｏｎ；綿状沈澱反応）が高まる。当業者は、スラリー流れが振盪機／ハイドロサイクロン２４からミキサー１８まで通過する時、ポリマーを適正範囲でスラリーの中に注入してもよいし；又は、スラリー流れがミキサー１８に到達した時、ポリマーをスラリーの中に注入してもよい；ことをよく理解するものと思われる。
【００６２】
容量型ポンプ２８が作動する時はいつでも、ミキサー１８を始動させてスラリーを混合するように、ＰＬＣ１６はまたミキサー１８と電子通信されている。ダイナミックミキサー１８が好ましい。典型的な単純ミキサーには、脱水すべきスラリーの諸特性に基づいて混合速度を調整制御するための加減抵抗器及び三枚羽根櫂（ｔｈｒｅｅ−ｂｌａｄｅｄ  ｐａｄｄｌｅ）（図示せず）が包含される。混合速度は、スラッジ・スラリーが効果的に凝集するように調整することができる。混合速度が遅過ぎる場合、凝集剤は十分には拡散されないと思われる。混合速度が速過ぎる場合、形成している綿毛状凝集塊は剪断されるであろう。
【００６３】
凝集剤は好ましくは、アニオン、カチオン又は非イオンのポリマー組成物を含有する。回収された水濾液を環境に戻さなければならない場合、カチオンポリマーは好ましくない。なぜなら、それらカチオンポリマーは魚に毒である場合があるからである。とりわけ好ましい凝集剤には、ポリアクリルアミド、又は複数のポリアクリルアミドの混合物が含有されている。ポリマー組成物は、乾燥状態で使用するのが望ましい。とは言え、液体エマルションを使用することもできる。迅速な水和反応が可能な乾燥ポリマーはとりわけ好ましい。それらポリマーは、ポンプ２８でスラリー流れの中に添加する前に、前水和する（ｐｒｅｈｙｄｒａｔｅｄ）。乾燥ポリマーを前水和するために、脱水プロセスから回収した水を使用することは、とりわけ好ましい。
【００６４】
綿毛状凝集（ｆｌｏｃｃｕｌａｔｉｏｎ；綿毛状沈澱反応）は、凝集剤の添加によって開始され、次いで、スラリー流れがミキサー１８から脱水装置２０まで移動する間、持続する。本発明による、とりわけ好ましい高速脱水方法において、スラリー流れは、複数の並行して処理される流れであって、各々がトラッキング・スクリーン組立て体４４を備えた脱水装置２０まで送出される該並行な流れの中に凝集剤を添加した後、分割する。並行な流れの数は、所望のスループット（ｔｈｒｏｕｇｈｐｕｔ；処理量）に依存する。５０００米国標準ガロン／分（０．３ｍ3／秒）以下のスループットは、４つの流れを使用して達成することができる。
【００６５】
脱水装置２０は、トレーラ４０又は平底荷船（図示せず）のような運搬手段の上に据え付けることができる。トラッキング・スクリーン組立て体４４及び拡散体４６は、複数の支持フレーム（４８、５０及び５２）の上に据え付ける。それら支持フレームは、調節しながら順次、運搬手段上に据え付ける。アクチュエータ８６は、運搬手段４０に呼応して脱水装置２０を、保管位置から作動位置まで高くするのに使用する。作動位置では、固形物が重力によってトラッキング・スクリーン１０６から取り除かれる。一旦、脱水装置２０を作動位置に持ち上げてしまえば、綿毛状に凝集したスラリー流れは、ミキサー１８から脱水装置２０の拡散体４６まで送出される。
【００６６】
前述の、拡散体４６の扇形構造によって、均一に分配された綿毛状に凝集したスラリーの流れをトラッキング・スクリーン１０６の上まで送出することが可能となる。これによって、従来技術の機構に関連する、詰まって動かなくなるという諸問題を伴うことなく、各々のスクリーン１０６の表面全体が最大限に効率良く利用される結果となる。都合の良いことに、機構１０のスループットは、実質的に高められる。好ましい態様において、綿毛状に凝集したスラリーの流れのための入口１３６は、送出導管（図示せず）に対して直角になるように取り付けられている。このことによって、綿毛状に凝集したスラリーに対して増大した剪断力が与えられ、それによって、綿毛状凝集塊が液体中に均一に浮遊するのが保持され、且つ、拡散体４６内に沈降するのが防止される。綿毛状に凝集したスラリーは、入口１３６から拡散体組立て体の内部で上昇し、出口スロット１３９を通って、トラッキング・スクリーン組立て体（１００及び１０２）の上の堰プレート１４２の上に溢れ出る。
【００６７】
トラッキング・スクリーン組立て体（１００及び１０２）の角度は、電気機械的アクチュエータ１１６を用いて所定の角度に調整する。各々のトラッキング・スクリーン１０６が設定されている角度は好ましくは、拡散体の堰プレート１４２の角度（即ち、水平面から約３０°〜約６０°、好ましくは約４０°〜約５５°、最も好ましくは約４５°〜約５０°）と一致する。トラッキング・スクリーン１０６の角度は、浮遊している固形物に基づいて決定することができ、その結果、脱水され綿毛状に凝集した物質３１は、形成された濾過ケーキの綿毛状凝集塊を剪断するエネルギーを発現することなく、トラッキング・スクリーン１０６を滑り落ちる。トラッキング・スクリーン１０６の各々は、異なる角度で独立して設定することができるが、複数の組立てられ装置２０の列の各々の側面の全長を通して単一角度でトラッキング・スクリーン１０６を設定するのが好ましい。好ましくは単一のスクリーン部分１０６を、Ａ形フレーム７４の各々の側面に沿って使用する。
【００６８】
綿毛状に凝集したスラリーは、トラッキング・スクリーン１０６によって濾過されて、固形濾過ケーキ３１を与える。濾過された綿毛状凝集塊３１は、各々のトラッキング・スクリーン１０６の表面上に蓄積され、次いで、該スクリーン１０６から、雪だるま式効果（ｓｎｏｗｂａｌｌ−ｔｙｐｅ  ｅｆｆｅｃｔ）で転がり落ちる。濾過済み綿毛状凝集塊３１は、コテージチーズ（ｃｏｔｔａｇｅ  ｃｈｅｅｓｅ；柔らかく白いチーズ）に似た粘稠性（ｃｏｎｓｉｓｔｅｎｃｙ）で、該スクリーン１０６を去る。好ましい態様において、ライザー４６は、運搬手段の上に調節されて据え付けられている支持フレーム（４８、５０及び５２）上に据え付けられ、その結果、拡散体４６の全体が持ち上げられ、連結され、固形物がガター（１１０、１１０ａ又は１１０ｂ）の中に、且つ固形物ラダー（ｓｏｌｉｄｓ  ｌａｄｄｅｒｓ）（１１２、１１２ａ又は１１２ｂ）の上に落ちるのが可能となる。固形物は、更なる脱水工程のためのベルトプレス（ｂｅｌｔ  ｐｒｅｓｓ）３２に移動させるために、ガター（１１０、１１０ａ又は１１０ｂ）から下方に向かって分配シュート（ｄｉｓｔｒｉｂｕｔｉｏｎ  ｃｈｕｔｅ）又はコンベヤーベルト（図示せず）の上に送る。ベルトプレス３２により更に脱水することによって、十分に乾燥する生成物を与えて、廃棄処分が容易なようにする。濾過ケーキ３１は、土生成物として販売し得るものと予想される。ガター（１１０、１１０ａ又は１１０ｂ）中の物質が、適切に凝集されなかった物質を含有している場合、オペレータは、ガター（１１０、１１０ａ又は１１０ｂ）からの流れを循環タンクに向ける。
【００６９】
濾液の逆流は、ライザー４６から排水路１０８を通ってサージタンク３４まで運ばれる。サージタンク３４中の濾液のパルプ濃度は、パルプ濃度測定装置１４によって連続的に又は頻繁に測定され、それら測定値はＰＬＣ１６に通信される。これらの測定値は、単独で使用することができるし、或いは、これら測定値は、スラリー流れから採取したパルプ濃度測定値と組み合せて、スラリーの最適凝集反応に必要な凝集剤の量を計算することができる。
【００７０】
沈降及び濾過を含む、多くの二次処理手段３８であれば如何なる手段によってでも、濾液を更に浄化することができる。沈降は、山形リブ（ｃｈｅｖｒｏｎ  ｒｉｂ）浄化器若しくは傾斜リブ（ｓｌａｎｔ  ｒｉｂ）浄化器（図示せず）を使用するか、又はフラク・タンク（ｆｒａｃ  ｔａｎｋ）（図示せず）を使用することによって達成することができる。更なる濾過は、砂濾過器又は炭素濾過器（ｃａｒｂｏｎ  ｆｉｌｔｅｒ）（いずれも図示せず）を使用して達成することができる。浄化済み水は、環境（例えば、浚渫されている水路）に戻すことができる。
【図面の簡単な説明】
【図１】  本発明による脱水装置の斜視図であり、トレーラ上に設置された状態を示す。
【図２】  図１に示すガター（ｇｕｔｔｅｒ；溝）の拡大断面図であり、本発明による固形物ラダー（ｓｏｌｉｄｓ  ｌａｄｄｅｒｓ）を示す。
【図３】  図１に示すガターの拡大平面図である。
【図４】  拡散体装置の拡大側面図である。
【図５】  図４に示す細部の拡大であって、堰プレート組立て体（ｗｅｉｒ  ｐｌａｔｅ  ａｓｓｅｍｂｌｙ）を示す。
【図６】  トラッキング・スクリーンと拡散体組立て体を示すために部分的に破断された、高速脱水装置の拡大正面図である。
【図７】  １つの使用位置におけるトラッキング・スクリーン組立て体を示し、また、ファントム図（ｐｈａｎｔｏｍ）には代わりの使用位置及び移送位置を示す、脱水装置の拡大側面図である。
【図８】  本発明による、スラッジ・スラリーを脱水する方法の諸工程を示す図式表示である。
【図９】  ガターの第１の代わりの態様の、拡大された概略平面図である。
【図１０】  図９に示すガターの斜視断面図である。
【図１１】  ガターの第２の代わりの態様の、拡大された概略側面図であって、綿毛状凝集塊が蓄積した複数の曲げ板を示すために１つの壁を取り外した状態の図である。
【図１２】  図１１に示すガターの斜視断面図である。
【図１】
0005039265.tif 000002
【図２】
0005039265.tif 000003
【図３】
0005039265.tif 000004
【図４】
0005039265.tif 000005
【図５】
0005039265.tif 000006
【図６】
0005039265.tif 000007
【図７】
0005039265.tif 000008
【図８】
0005039265.tif 000009
【図９】
0005039265.tif 000010
【図１０】
0005039265.tif 000011
【図１１】
0005039265.tif 000012
【図１２】
0005039265.tif 000013